(57)【特許請求の範囲】
【請求項１】
シート体を折曲して形成した矩形状箱体の上部開口縁に揺動自在に設けられた蓋体を形成し、該蓋体内に挿入した指先で蓋体を強制的に開口するように構成された改ざん防止機能付き包装箱において、
蓋体は上部開口縁で対向する内天板と外天板とが揺動自在に折り重なるように形成され、
一方の内天板の内天板と箱体との境界部分の揺動側端部に差込用切込線を形成すると共に、該差込用切込線に沿って隣接する箱体側面に差込用切込線から解除口を開口せしめる除去片を形成し、
他方の外天板の開口側端部に舌片状を成した差込固定片を形成し、
施蓋時に該差込固定片を差込用切込線内部に挿入して差込固定片の両端部を差込用切込線内に再開口不能に係合し、
開口時に除去片を除去すると箱体側面に解除口が開口すると同時に、外天板の差込固定片が差込用切込線から解除されるように構成したことを特徴とする改ざん防止機能付き包装箱。
【請求項２】
前記差込固定片は、前記外天板の開口側端部から舌片状に突設され、
該差込固定片の基端部側で屈曲する屈曲部の両側に切込みを形成して重合部を設け、
前記差込用切込線は、前記内天板と前記箱体との境界部分に形成され、
差込用切込線の長手両端部に設けた一対の係止突起と、前記差込用切込線の長手中央から前記内天板側に形成された係合凹部と、を備え、
施蓋時に前記差込用切込線に前記差込固定片を挿入したときに前記差込固定片の中央部の屈曲部分が係合凹部に係合すると共に、重合部が係止突起上に重なるように形成した請求項１記載の改ざん防止機能付き包装箱。
【請求項３】
前記解除口は、前記差込用切込線の両端部が箱体内に残るように開口し、前記外天板を再封自在に設けた請求項１又は２記載の改ざん防止機能付き包装箱。
【発明の詳細な説明】
【技術分野】
【０００１】
本発明は、施蓋した容器がいたずらや不法行為等によって開口されたか否かを判別する改ざん防止機能付き包装箱に係り、化粧品、薬品、ドリンク剤、その他商品を収納し店頭等に陳列することができる改ざん防止機能付き包装箱に関するものである。
【背景技術】
【０００２】
従来、蓋体の開口を容易にする包装容器は種々のものが提供されている。例えば、特許文献１に示す包装用箱では、施蓋時の蓋と接する箱体周面の端縁部に分離可能な切込部と、この切込部に連設して分離不能に保持する接続部とを設けたものである。
【０００３】
そして、商品を取り出す際に切込に親指等を押し込み、その状態で上蓋を上方に開けると、フラップの切込が破れて上蓋が開くように構成されている。
【０００４】
ところが、特許文献１の包装容器は蓋体の開口を容易にすることは可能でも、この蓋体を糊で固定する構成なので製造工程が複雑になる課題があった。
【０００５】
そこで本発明者は、このような不都合を解消すべく、先に蓋体の開口を容易にする組立包装用箱を提案している（特許文献１、２参照）。すなわち、蓋体に隣接する箱体側面に形成した除去片を破断すると、蓋体に形成した摘み片が露出するように形成し、この摘み片を手指で摘み、上方に強制移動させることで下天板、中天板及び上天板から成る蓋体を開口するように構成したものである。
【０００６】
さらに、これらの組立包装用箱には、いたずらや不法行為等によって開口されると破断する破断予定線による改ざん防止機能も備えている。この破断予定線は、蓋体と箱体側面とが連続する境界部分に破断予定線を形成し、蓋体を開口する場合にこの破断予定線を切除するように構成したもので、この破断予定線が改ざん防止機能になっている。
【先行技術文献】
【特許文献】
【０００７】
【特許文献１】実開平４−５３６１８号公報
【特許文献２】特許第４７７５７４２号公報
【特許文献３】実用新案登録第３１５０８８０公報
【発明の概要】
【発明が解決しようとする課題】
【０００８】
特許文献１のように蓋体内に指を挿入して開口する包装用箱は、指先を開口部にある程度深く押し込まないと上蓋に指先を掛けることができない構成である。しかも、蓋体は糊で接着されているので、製造工程が複雑になるという課題の他、強固に接着されている蓋体を開口する際に爪の生え際部分を切込縁で擦ってしまう虞があるなど、操作時における安全性の課題もある。
【０００９】
また、特許文献２、特許文献３の組立包装用箱は、摘み片を持ち上げることで下天板、中天板及び上天板を破断させる構成なので、摘み片に多くの負荷がかかることになる。そのため、摘み片を持ち上げる際に、万が一、摘み片が破断すると、開口操作に支障が生じる虞がある。
【００１０】
さらに、特許文献２、特許文献３の組立包装用箱の改ざん防止機能は、上天板の揺動側端部に破断予定線を形成すると共に、上天板の開口側端部に封緘紙を接着して上天板を施蓋することで、不正な開口を阻止する構成である。すなわち、上天板を開口しようとすると、この破断予定線を切除するか、あるいは封緘紙を剥がす必要があり、これらの痕跡で不正開封が確認できるように構成したものである。
【００１１】
ところが、上天板の開口側端部に封緘紙を接着するなどの作業により、製造コストが増加する不都合があった。しかも、破断予定線を切除せずに接着た封緘紙を不正に剥がして不正に開口する手段もある。
【００１２】
そこで本発明は、上述の課題を解消すべく案出されたもので、蓋体内に指を挿入して開口する包装箱において、破断予定線や封緘紙等を用いずに、安全に開口することができ、しかも封緘紙等の接着手段を用いずに不正開口を阻止できる改ざん防止機能付き包装箱の提供を目的とする。
【課題を解決するための手段】
【００１３】
上述の目的を達成すべく本発明における第１の手段は、シート体Ｐを折曲して形成した矩形状箱体１０の上部開口縁１１に揺動自在に設けられた蓋体２０を形成し、該蓋体２０内に挿入した指先で蓋体２０を強制的に開口するように構成された改ざん防止機能付き包装箱において、蓋体２０は上部開口縁１１で対向する内天板２１と外天板２２とが揺動自在に折り重なるように形成され、一方の内天板２１の内天板２１と箱体１０との境界部分の揺動側端部に差込用切込線２１Ａを形成すると共に、該差込用切込線２１Ａに沿って隣接する箱体１０側面に差込用切込線２１Ａから解除口１２を開口せしめる除去片１３を形成し、他方の外天板２２の開口側端部に舌片状を成した差込固定片２２Ａを形成し、施蓋時に該差込固定片２２Ａを差込用切込線２１Ａ内部に挿入して差込固定片２２Ａの両端部を差込用切込線２１Ａ内に再開口不能に係合し、開口時に除去片１３を除去すると箱体１０側面に解除口１２が開口すると同時に、外天板２２の差込固定片２２Ａが差込用切込線２１Ａから解除されるように構成したものである。
【００１４】
第２の手段において、前記差込固定片２２Ａは、前記外天板２２の開口側端部から舌片状に突設され、前記差込固定片２２Ａの基端部側で屈曲する屈曲部の両側に切込みを形成して重合部２２Ａａを設け、前記差込用切込線２１Ａは、前記内天板２１と前記箱体１０との境界部分に形成され、差込用切込線２１Ａの長手両端部に設けた一対の係止突起２１Ａａと、前記差込用切込線２１Ａの長手中央から前記内天板２１側に形成された係合凹部２１Ａｂと、を備え、施蓋時に前記差込用切込線２１Ａに前記差込固定片２２Ａを挿入したときに前記差込固定片２２Ａの中央部の屈曲部分が係合凹部２１Ａｂに係合すると共に、重合部２２Ａａが係止突起２１Ａａ上に重なるように形成したことにある。
【００１５】
第３の手段の前記解除口１２は、前記差込用切込線２１Ａの両端部が箱体１０内に残るように開口し、前記外天板２２を再封自在に設けたものである。
【発明の効果】
【００１６】
本発明の請求項１により、除去片１３を除去すると箱体１０側面に解除口１２が開口して外天板２２の差込固定片２２Ａが露出すると同時に、外天板２２の差込固定片２２Ａが差込用切込線２１Ａから解除されるように構成したことで、外天板２２を安全且つ容易に開口することができる。
【００１７】
しかも、内天板２１と箱体１０との境界部分に形成された差込用切込線２１Ａに、差込固定片２２Ａを差し込んで再開口不能に施蓋する構成なので、改ざん防止構造が極めて目立たずに済む。この結果、従来のような封緘紙等の接着手段を用いることなくコストアップの課題を解消することができる。
【００１８】
請求項２のように、差込用切込線２１Ａに差込固定片２２Ａを挿入したときに差込固定片２２Ａの中央部が係合凹部２１Ａｂに係合すると共に、重合部２２Ａａが係止突起２１Ａａ上に重なるように形成したことにより、差込用切込線２１Ａに挿入した差込固定片２２Ａは差込用切込線２１Ａからの再開封を確実に防止することができる。したがって、どのように開口しようとしても、必ず差込用切込線２１Ａが破損することになり、確実な改ざん防止機能を実現することができる。
【００１９】
請求項３のごとく、解除口１２は、差込用切込線２１Ａの両端部が箱体１０内に残るように開口し、外天板２２を再封自在に設けているので、開口した箱体１０を再利用することが可能になる。
【図面の簡単な説明】
【００２０】
【図１】本発明の包装箱を例示する展開図である。
【図２】本発明の包装箱の蓋部を開けた状態を示す縦断面図である。
【図３】折曲片と内天板とを閉じた状態を示す縦断面図である。
【図４】外天板を閉じた状態を示す縦断面図である。
【図５】本発明の蓋部を閉じた状態を示す斜視図である。
【図６】除去片を除去した状態を示す斜視図である。
【図７】外天板を開口した状態を示す斜視図である。
【図８】蓋体全体を開口した状態を示す斜視図である。
【図９】本発明の改ざん防止構造を示す施蓋時の要部断面図である。
【図１０】（イ）は除去片を示し、（ロ）は挿入口を示す正面図である。
【図１１】（イ）は他の除去片を示し、（ロ）は他の挿入口を示す正面図である。
【発明を実施するための形態】
【００２１】
本発明の基本構成は、シート体Ｐを折曲して形成した矩形状の箱体１０と、該箱体１０を施蓋する改ざん防止機能付きの蓋体２０とで構成されたものである（図１参照）。本発明の箱体１０は、蓋体２０にて施蓋する開口部が矩形状を成す形状であればよく、胴体部のサイズや形状、及び、底部の構成などは任意に変更することができる。
【００２２】
蓋体２０は、該箱体１０を施蓋した際に不正な開口を防止する改ざん防止機能を備えている。この蓋体２０の基本構成は、箱体１０の上部開口縁１１で対向する内天板２１と外天板２２とが揺動自在に折り重なるように形成されている（図２参照）。図示例では、この上部開口縁１１に、さらに対向する一対の折曲片２３、２４を設けてあり、これらの折曲片２３、２４を開口部に折り込んだ上に、内天板２１を重ねて折り込み（図３参照）、さらに、内天板２１の上に外天板２２を折り込んで重ねるものである（図４参照）。このとき、最初に内天板２１を折り込み、この上に折曲片２３、２４を折り重ね、最後に外天板２２を折り重ねることも可能である。
【００２３】
一方の内天板２１の揺動側端部に差込用切込線２１Ａを形成する（図１参照）。さらに、この差込用切込線２１Ａに隣接する箱体１０の側面に解除口１２を開口せしめる除去片１３を形成している（図６参照）。
【００２４】
他方の外天板２２の開口側端部に差込固定片２２Ａを屈曲形成している（図１参照）。そして、この差込固定片２２Ａを差込用切込線２１Ａから箱体１０内部に挿入して再開口不能に施蓋するように設けている（図９参照）。これらの差込固定片２２Ａと差込用切込線２１Ａとが改ざん防止構造になっている。
【００２５】
すなわち、差込固定片２２Ａは、外天板２２の開口側端部に舌片状に突設されている（図７参照）。そして、この差込固定片２２Ａの基端部側で屈曲する屈曲部の両側に切込みを形成して重合部２２Ａａを設けている。この重合部２２Ａａは、外天板２２施蓋時に後述する係止突起２１Ａａの上に重なるように設けている。
【００２６】
また、差込用切込線２１Ａは、この差込固定片２２Ａを挿入可能な長さに形成された部位で、内天板２１と箱体１０との境界部分に設けている（図７参照）。この差込用切込線２１Ａには、さらに係止突起２１Ａａと係合凹部２１Ａｂとを備えている。
【００２７】
一方の係止突起２１Ａａは、差込用切込線２１Ａの長手両端側に形成された一対の部位で、施蓋時に内天板２１を屈曲すると、係止突起２１Ａａの先端部が差込用切込線２１Ａの上に重なるように形成している（図７参照）。
【００２８】
他方の係合凹部２１Ａｂは、差込用切込線２１Ａの長手中央から前記内天板２１側に形成された凹状部位部ある（図７参照）。そして、差込用切込線２１Ａに差込固定片２２Ａを挿入したときに差込固定片２２Ａの中央部が係合凹部２１Ａｂに係合する。したがって、この差込用切込線２１Ａ内に前述の差込固定片２２Ａを挿入すると、差込固定片２２Ａの屈曲部が係合凹部２１Ａｂに係合すると共に、重合部２２Ａａが係止突起２１Ａａの上に重なることになる（図９参照）。
【００２９】
このように、重合部２２Ａａが係止突起２１Ａａ上に重なると、差込固定片２２Ａによる施蓋時の閉塞力を強化することになる（図５参照）。この結果、差込固定片２２Ａは差込用切込線２１Ａから完全に抜き出すことができなくなり、仮に、この差込固定片２２Ａを無理に開けようとすると、差込固定片２２Ａが破損する。
【００３０】
さらに、差込用切込線２１Ａの長手両端部方向に沿って一対の破断予定線２１Ｂを延長形成している（図７参照）。この破断予定線２１Ｂの使用は任意であるが、折込片２１Ｂを切り離すことで、内天板２１と外天板２２とを同時に開口することが可能になる（図示せず）。すなわち、施蓋した外天板２２を開口する際に、解除口１２で露出した差込固定片２２Ａを外天板２２の内側に指で折り込み、この状態で差込固定片２２Ａを指で持ち上げると、破断予定線２１Ｂが破断して内天板２１も開口するように設けたものである。尚、外天板２２のみを開口する場合は、この破断予定線２１Ｂを破断させる必要はない（図７参照）。
【００３１】
解除口１２は、差込固定片２２Ａ全体が露出するように開口する他、差込固定片２２Ａの両端部が箱体１０内に残った状態で露出するように設けてもよい。図１０に示す解除口１２は、差込固定片２２Ａの両端部が残った状態で開口する状態を示している。すなわち、解除口１２を開口する除去片１３は箱体１０の側面に形成されている（同図（イ）参照）。この除去片１３を除去すると、解除口１２が開口し、この解除口１２から差込固定片２２Ａの中央部分が露出する（同図（ロ）参照）。そして、差込固定片２２Ａの両端部分が箱体１０内に隠れた状態になっている。そのため、差込固定片２２Ａの隠れた両端部分が箱体１０内に係止するので、解除口１２を開けた後でも、再び差込固定片２２Ａを箱体１０内に挿入して再利用することができる。
【００３２】
図１１に示す解除口１２は、差込固定片２２Ａ全体が露出するように開口するように形成している。すなわち、箱体１０の側面に形成されている除去片１３（同図（イ）参照）を除去すると、解除口１２から差込固定片２２Ａ全体が露出して外天板２２が簡単に開口するようになっている（同図（ロ）参照）。この場合、極めて容易に外天板２２を開くことが可能になる。
【００３３】
尚、本発明の構成は図示例に限られるものではなく、本発明の要旨を変更しない範囲での設計変更は自由に行えるものである。
【符号の説明】
【００３４】
Ｐ  シート体
１０  箱体
１１  上部開口縁
１２  解除口
１３  除去片
２０  蓋体
２１  内天板
２１Ａ  差込用切込線
２１Ａａ  係止突起
２１Ａｂ  係合凹部
２１Ｂ  破断予定線
２２  外天板
２２Ａ  差込固定片
２２Ａａ  重合部
２３  折曲片
２４  折曲片
【要約】
【課題】蓋体内に挿入した指先で安全、且つ確実に開口することができる改ざん防止機能付き包装箱を提供する。
【解決手段】内天板２１の揺動側端部に差込用切込線２１Ａを形成する。該差込用切込線２１Ａに隣接する箱体１０側面に除去片１３を形成する。外天板２２の開口側端部に差込固定片２２Ａを形成する。差込用切込線２１Ａから箱体１０内部に差込固定片２２Ａを再開口不能に挿入する。除去片１３を除去すると箱体１０側面に解除口１２が開口するように形成する。該解除口１２から差込固定片２２Ａが露出するように構成する。
【選択図】  図１【図１】
0006775261.tif 000002
【図２】
0006775261.tif 000003
【図３】
0006775261.tif 000004
【図４】
0006775261.tif 000005
【図５】
0006775261.tif 000006
【図６】
0006775261.tif 000007
【図７】
0006775261.tif 000008
【図８】
0006775261.tif 000009
【図９】
0006775261.tif 000010
【図１０】
0006775261.tif 000011
【図１１】
0006775261.tif 000012